(57)【要約】【課題】極めて簡単な構造としながら、装着部の両側に配置される充電端子に金属異物等が接触してショートするのを有効に防止する。【解決手段】充電器は、充電できる電池を内蔵してなるパック電池３０を脱着自在にセットして充電する。充電器は、パック電池３０を脱着自在に装着する装着部２を有するケース１と、装着部２に表出して配設されて、パック電池３０の外部端子３３に接続される複数の接続端子３とを備えている。複数の接続端子３は、複数列に配置されており、両側に配置している正負の充電端子４と、これらの充電端子４の間に配置している非充電端子５とを備えている。さらに、充電器は、非充電端子５を、両側の充電端子４よりも突出して配設している。【選択図】図８
2011155821.tif 000002
【特許請求の範囲】
【請求項１】
充電できる電池(39)を内蔵してなるパック電池(30)を脱着自在にセットして充電する充電器であって、
前記パック電池(30)を脱着自在に装着する装着部(2)を有するケース(1)と、前記装着部(2)に表出して配設されて、前記パック電池(30)の外部端子(33)に接続される複数の接続端子(3)とを備えており、
前記複数の接続端子(3)は、複数列に配置されると共に、両側に配置してなる正負の充電端子(4)と、これらの充電端子(4)の間に配置してなる非充電端子(5)とを備えており、
前記非充電端子(5)を、両側の充電端子(4)よりも突出して配設してなることを特徴とする充電器。
【請求項２】
前記装着部(2)の底面(2A)に対して、前記非充電端子(5)の上端縁を、前記充電端子(4)の上端縁よりも突出させてなる請求項１に記載される充電器。
【請求項３】
前記パック電池(30)を、前記装着部(2)の底面(2A)に沿ってスライドさせて脱着自在に装着すると共に、前記パック電池(30)の装着方向において、前記非充電端子(5)の先端縁を、前記充電端子(4)の先端縁よりも突出させてなる請求項１または２に記載される充電器。
【請求項４】
前記複数の接続端子(3)が、互いに平行な姿勢で配置してなる板状で、前記装着部(2)の底面(2A)に垂直な姿勢であって、前記パック電池(30)の装着方向に延びる姿勢としてなる請求項１ないし３のいずれかに記載される充電器。
【請求項５】
前記正負の充電端子(4)の間に複数の非充電端子(5)を配置しており、これらの非充電端子(5)が信号端子(5A)である請求項１ないし４のいずれかに記載される充電器。
【発明の詳細な説明】
【技術分野】
【０００１】
本発明は、おもに電動工具等の電動機器に脱着自在に装着されて電力を供給するパック電池を充電する充電器に関する。
【背景技術】
【０００２】
電動工具等の電動機器は、充電できる電池を内蔵しているパック電池を脱着自在に装着することで、コードレスとして現場等において便利に使用できる。また、電動機器からパック電池を取り外して充電することで繰り返し使用できる。内蔵する電池の残容量が少なくなったパック電池は、充電器にセットして充電される。このようなパック電池を充電する充電器として、ケースの上面にパック電池を脱着自在に装着する装着部を有し、この装着部に充電端子を表出して設けてなる充電器が実用化されている。この充電器は、装着部に装着されるパック電池の外部端子を充電端子に接続し、充電端子から充電電力を出力してパック電池を充電する。（特許文献１参照）
【先行技術文献】
【特許文献】
【０００３】
【特許文献１】特開２００８−２３６８８２号公報
【発明の概要】
【発明が解決しようとする課題】
【０００４】
特許文献１に記載される充電器を図１に示す。この充電器は、パック電池を脱着自在に装着する装着部９２に、複数の接続端子９３を配列して設けている。複数の接続端子９３は、互いに平行に配設してなる金属板で、両側に配置してなる正負の充電端子９４と、これらの充電端子９４の間に配置してなる複数の信号端子９５とからなる。この充電器は、正負の充電端子９４を両側に離して配置することで、これらの充電端子９４に金属異物等が接触してショートする確率を低くしている。ただ、この構造によっても、図２の破線で示すように、ロッド状の金属異物９０、例えば、釘９０Ａや針金９０Ｂ等が両側の充電端子９４に跨って接触すると、これらの充電端子９４を短絡させてショートする弊害が生じる。
【０００５】
本発明は、この欠点を解決することを目的に開発されたものである。本発明の重要な目的は、極めて簡単な構造としながら、装着部の両側に配置される充電端子に金属異物等が接触してショートするのを有効に防止できる充電器を提供することにある。
【課題を解決するための手段及び発明の効果】
【０００６】
本発明の充電器は、充電できる電池を内蔵してなるパック電池３０を脱着自在にセットして充電する。充電器は、パック電池３０を脱着自在に装着する装着部２を有するケース１と、装着部２に表出して配設されて、パック電池３０の外部端子３３に接続される複数の接続端子３とを備えている。複数の接続端子３は、複数列に配置されており、両側に配置している正負の充電端子４と、これらの充電端子４の間に配置している非充電端子５とを備えている。さらに、充電器は、非充電端子５を、両側の充電端子４よりも突出して配設している。
ただし、本明細書において、「非充電端子を両側の充電端子よりも突出して配設する。」とは、非充電端子の端縁を、両側の充電端子の端縁を結ぶラインよりも突出させる状態を意味するものとする。
【０００７】
以上の充電器は、極めて簡単な構造としながら、装着部の両側に配置される充電端子に金属異物等が接触してショートするのを有効に防止できる特長がある。それは、本発明の充電器が、装着部に表出して複数列に配置してなる接続端子を、両側に配置してなる正負の充電端子と、これらの充電端子の間に配置している非充電端子とで構成し、この非充電端子を両側の充電端子よりも突出して配設しているからである。この構造の充電器は、装着部に表出する複数の接続端子にロッド状または板状の金属異物等が接触する状態においても、突出する非充電端子によって、両側に配置された正負の充電端子に跨って接触するのが阻止されて、短絡が阻止される。充電端子よりも突出する非充電端子は、図８と図９の破線Ａ〜Ｄで示すように、金属異物の中央部に優先的に接触して、その両端部が両側の充電端子に同時に接触するのを阻止するからである。このように、本発明の充電器は、極めて簡単な構造としながら、装着部の両側に配置される充電端子が金属異物等でショートするのを確実に防止できる。
【０００８】
本発明の充電器は、装着部２の底面２Ａに対して、非充電端子５の上端縁を、充電端子４の上端縁よりも突出させることができる。
この充電器は、装着部に表出する複数列の接続端子の上側にロッド状または板状の金属異物等が接触する状態においても、突出する非充電端子によって、両側に配置された正負の充電端子の短絡が確実に阻止される。
【０００９】
本発明の充電器は、パック電池３０を装着部２の底面２Ａに沿ってスライドさせて脱着自在に装着すると共に、パック電池３０の装着方向において、非充電端子５の先端縁を、充電端子４の先端縁よりも突出させることができる。
この充電器は、パック電池を装着部の底面に沿ってスライドさせて脱着することで、簡単かつ容易にパック電池を定位置に装着できると共に、パック電池の装着方向に表出する複数列の接続端子の先端側にロッド状または板状の金属異物等が接触する状態においても、突出する非充電端子によって、両側に配置された正負の充電端子の短絡を確実に阻止できる。
【００１０】
本発明の充電器は、複数の接続端子３を、互いに平行な姿勢で配置してなる板状とし、板状の接続端子３を装着部２の底面２Ａに垂直な姿勢であって、パック電池３０の装着方向に延びる姿勢で配設することができる。
この充電器は、接続端子を板状として最も簡単な構造としながら、複数の接続端子を省スペースに配置して、理想的に接続できる。
【００１１】
本発明の充電器は、正負の充電端子４の間に複数の非充電端子５を配置して、これらの非充電端子５を信号端子５Ａとすることができる。
この充電器は、中間に配置される非充電端子を信号端子として、パック電池との間で電池の情報を交換しながら種々の情報を伝達して、理想的にパック電池の電池を充電できる。
【図面の簡単な説明】
【００１２】
【図１】従来の充電器の斜視図である。
【図２】図１に示す充電器の正負の充電端子が金属異物によってショートする状態を示す平面図である。
【図３】本発明の一実施例にかかる充電器の斜視図である。
【図４】図３に示す充電器にパック電池を装着する状態を示す斜視図である。
【図５】図３に示す充電器にパック電池をセットした状態を示す垂直断面図である。
【図６】図３に示す充電器の装着部の拡大断面図であって、図５のＶＩ−ＶＩ線断面に相当する図である。
【図７】図３に示す充電器の装着部の拡大平面図である。
【図８】図６に示す接続端子に金属異物が接触する状態を示す拡大図である。
【図９】図７に示す接続端子に金属異物が接触する状態を示す拡大図である。
【図１０】本発明の一実施例にかかる充電器にパック電池を接続した状態を示す回路図である。
【図１１】図３に示すパック電池の底面斜視図である。
【発明を実施するための形態】
【００１３】
以下、本発明の実施例を図面に基づいて説明する。ただし、以下に示す実施例は、本発明の技術思想を具体化するための充電器を例示するものであって、本発明は充電器を以下のものに特定しない。
【００１４】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１５】
図３ないし図１０の充電器は、充電できる電池３９を収納しているパック電池３０を脱着自在に装着できる装着部２を有するケース１と、装着部２に表出して配置されて、パック電池３０の外部端子３３に接続される複数の接続端子３とを備えている。さらに、充電器は、装着部２に装着されるパック電池３０を充電するための充電回路をケース１に内蔵している。
【００１６】
ケース１は、パック電池３０を脱着できるようにセットする装着部２をケース１の上面に設けている。図３と図６の充電器は、ケース１の上面の片側（図において右側）に装着部２を設けている。この装着部２は、底面２Ａの両側に側壁６を有する形状として、全体の形状を溝形としている。溝形の装着部２は、パック電池３０を溝に沿ってスライドさせて脱着する構造としている。この装着部２は、パック電池３０を底面２Ａに沿ってスライドさせると共に、両側の側壁６に沿ってスライドさせて定位置に案内する。したがって、一対の側壁６の間隔は、パック電池３０の幅とほぼ等しく、あるいはやや大きくして、パック電池３０を装着部２の側壁６に沿ってスライドできるようにしている。図７のケース１は、パック電池の挿入方向に向かって、一対の側壁６の間隔を次第に狭くしている。この構造は、パック電池３０を装着部２にセットするときに、パック電池３０の挿入側をスムーズに装着部２の溝内に案内しながら、装着部２に深く挿入されるパック電池３０を確実に定位置で停止できる。
【００１７】
さらに、図のケース１は、装着部２の底面２Ａを傾斜面としている。図５に示す装着部２の底面２Ａは、パック電池３０の装着方向に向かって下り勾配に傾斜させている。底面２Ａを下り勾配の傾斜面とする装着部２は、装着されるパック電池３０を、傾斜面である底面２Ａに沿って上方から下方にスライドさせて定位置に装着できる。とくに、パック電池を装着する状態では、パック電池３０にかかる重力の傾斜面に沿う分力が、パック電池３０を下向きにスライドさせる方向に作用する。このため、重いパック電池３０であっても、容易に装着部２の定位置に装着しながら、装着部２にセットされたパック電池３０を安定して定位置に保持できる。
【００１８】
さらに、図示しないが、パック電池を装着部の底面に沿って正しい姿勢でスライドさせるために、ケースの対向する側壁に、内面から突出するガイド凸部を設けて、パック電池のケーシングの両側面には、このガイド凸部を案内するガイド溝を設けることができる。このガイド凸部は、パック電池を装着部に装着するときに、パック電池の両側面に設けたガイド溝に案内して、パック電池を正しい姿勢で装着部に案内できる。ガイド凸部は、たとえば、対向する側壁の内面であって、下り勾配に傾斜する装着部の斜め上方、いいかえると、パック電池が挿入される側に位置して、側壁に一体成形して設けることができる。ガイド凸部は、パック電池の装着方向に延長して設けて、装着部に装着されるパック電池をガイド凸部に沿ってスライドさせて、パック電池の外部端子を装着部の接続端子に正しい姿勢で接触できる。
【００１９】
さらに、装着部２は、パック電池３０の外部端子３３に接続される複数の接続端子３を表出して設けている。これらの接続端子３は、装着部２にセットされるパック電池３０の外部端子３３に接続されて、パック電池３０に充電電力を供給し、あるいは、種々の信号を送受信する。図の装着部２は、底面２Ａの中央部に位置して、底面２Ａから突出する複数の接続端子３を配設している。複数の接続端子３は一列に横並びに配置している。
【００２０】
図に示す接続端子３は、板状の金属板１０で、ほぼ同じ外形として互いに平行な姿勢で配列している。板状の接続端子３は、装着部２の定面２Ａに垂直な姿勢であって、パック電池３０の挿入方向に沿う姿勢で配置している。金属板１０である接続端子３は、ニッケル板、銅板、銅合金板等の優れた導電性を有する金属板で製作される。ただ、接続端子は、必ずしも板状には特定しない。接続端子は、装着部の内側に表出して、ここに装着されるパック電池の外部端子に接続される種々の形状とすることができる。
【００２１】
図５に示す接続端子３は、金属板１０をインサートして装着部２の定位置に配置している。図の装着部２は、金属板１０がインサートされる連結プレート部８を別部材としてプラスチックで成形しており、金属板１０がインサート成形された連結プレート部８を、装着部２の底面２Ａに開口した連結開口部２Ｂに固定して、装着部２の定位置に固定している。この連結プレート部８は、上面に突出する複数列の固定凸部９を一体成形して設けており、この固定凸部９からパック電池３０の挿入側に突出する姿勢で金属板１０を固定している。図５に示す金属板１０は、全体の形状を四角形とし、下端部を連結プレート部８にインサートすると共に、後端部を固定凸部９にインサートして、すなわち、四角形の２辺を連結プレート部８と固定凸部９にインサートして固定している。この構造は、金属板１０である接続端子３を強固に装着部２の定位置に固定できる。ただ、金属板である接続端子は、四角形の１辺のみをインサートして、すなわち、下端部のみを連結プレート部にインサートし、あるいは、後端部のみを固定凸部にインサートして定位置に固定することもできる。図に示す金属板１０は、下端から突出する接続部１０Ａを備えており、この接続部１０Ａに接続されたリード線１３を介してケース１内に配置された回路基板１４に接続している。
【００２２】
図３、図４、図６、及び図７に示す固定凸部９は複数列に分割しており、各々の固定凸部９に１枚の金属板１０をインサートして固定している。この構造は、装着部２に侵入する埃や水滴等を隣接する固定凸部９の間の隙間１１から傾斜面に沿って流下させることができる。このため、複数の接続端子３を常にきれいな状態に保持して、埃や水等によるショートや腐食を有効に防止できる。ただ、固定凸部は、全体をひとつのブロックとして、このブロックに複数の接続端子をインサートして固定することもできる。
【００２３】
複数の接続端子３は、パック電池３０に内蔵する電池３９を充電するための正負の充電端子４と、パック電池３０との間で電池情報を伝達する信号端子５Ａである非充電端子５からなる。図６ないし図９の充電器は、５個の接続端子３を１列に横並びに配列している。５個の接続端子３は、両側に配設している一対の充電端子４と、これらの充電端子４の間に配設してなる３個の信号端子５Ａである非充電端子５とからなる。ただ、非充電端子は、必ずしも３個とする必要はなく、２個以下とし、あるいは、４個以上とすることもできる。
【００２４】
さらに、複数の接続端子３は、充電端子４の間に配置される非充電端子５を、両側の充電端子４よりも突出して配設している。ここで、非充電端子５を両側の充電端子４よりも突出して配設するとは、非充電端子５の端縁を、両側の充電端子４の端縁を結ぶラインよりも突出させる状態を意味している。図８に示す接続端子３は、装着部２の底面２Ａに対して、非充電端子５の上端縁の高さ（Ｈ２）を、充電端子４の上端縁の高さ（Ｈ１）よりも高くして、非充電端子５の上端縁を、充電端子４の上端縁よりも突出させている。この構造は、図８の破線Ａで示すように、複数の接続端子３の上面に金属異物９０が接触する状態において、非充電端子５が金属異物９０の中央部に優先的に接触して、その両端部が両側の充電端子４に接触するのを阻止する。また、図８の破線Ｂで示すように、金属異物９０が傾斜する姿勢で片側（図において左側）の充電端子４に接触する状態においても、金属異物９０は一方（図において左側）の充電端子４とこれに隣接する非充電端子５に接触して、反対側の端部が他方（図において右側）の充電端子４に接触するのを阻止する。この構造は、接続端子３の上面に金属異物が落下して接触する状態における、一対の充電端子４のショートを有効に防止できる。充電端子４の間に配設される非充電端子５の上端縁が、両側の充電端子４の上端縁を結ぶラインよりも突出する突出量（ｔ）は、０．３ｍｍ〜５ｍｍ、好ましくは０．４ｍｍ〜２ｍｍ、さらに好ましくは、０．５ｍｍ〜２ｍｍとする。
【００２５】
さらに、図９に示す接続端子３は、パック電池３の装着方向において、非充電端子５の先端縁を、充電端子４の先端縁よりも突出させている。図に示す充電器は、複数の固定凸部９の先端縁が同一ラインとなるように配置しているので、非充電端子５が固定凸部９から突出する長さ（Ｌ２）を、充電端子４が固定凸部９から突出する長さ（Ｌ１）よりも長くして、非充電端子５の先端縁を、充電端子４の先端縁よりも突出させている。この構造は、図９の破線Ｃで示すように、複数の接続端子３の先端面に金属異物９０が接触する状態において、非充電端子５が金属異物９０の中央部に優先的に接触して、その両端部が両側の充電端子４に接触するのを阻止する。また、図９の破線Ｄで示すように、金属異物９０が傾斜する姿勢で片側（図において左側）の充電端子４に接触する状態においても、金属異物９０は一方（図において左側）の充電端子４とこれに隣接する非充電端子５に接触して、反対側の端部が他方（図において右側）の充電端子４に接触するのを阻止する。この構造は、接続端子３の先端面側に金属異物９０が接触する状態、たとえば、傾斜面に沿って落下する金属異物９０が接続端子３の先端面に接触する状態における、一対の充電端子４のショートを有効に防止できる。充電端子４の間に配設される非充電端子５の先端縁が、両側の充電端子４の先端縁を結ぶラインよりも突出する突出量（ｄ）は、０．３ｍｍ〜５ｍｍ、好ましくは０．４ｍｍ〜２ｍｍ、さらに好ましくは、０．５ｍｍ〜２ｍｍとする。
【００２６】
両側に配置される正負の充電端子４は、装着部２にセットされるパック電池３０の正負の充放電端子３４に接続されて、パック電池３０に充電電力を供給する。正極側の充電端子４は、図１０の回路図に示すように、充電回路２０に接続されており、パック電池３０に電力を供給して内蔵される電池３９を充電する。図の充電器は、商用電源（図示せず）から供給される交流電源を整流回路２２で直流に変換し、この直流の電圧を充電回路２０で充電用の電圧に変換して充電端子４から出力する。この充電回路２０は、たとえば、整流回路２２の出力側と正極側の充電端子４との間に接続しているスイッチング素子（図示せず）をオンオフに制御するデューティーを変化させて、パック電池３０の充電に最適な充電電圧と充電電流に調整する。
【００２７】
一対の充電端子４の間に配置される非充電端子５は、信号端子５Ａである。図に示す接続端子は３個の信号端子５Ａを備えている。これらの信号端子５Ａは、パック電池３０に内蔵される電池３９の異常信号が入力される異常信号端子５ａと、パック電池３０に内蔵される電池３９の温度信号が入力される温度信号端子５ｂと、パック電池３０に内蔵される電池３９の識別信号が入力される識別信号端子５ｃとしている。ただ、信号端子は、これら以外の信号、例えば、電池の充電状態や、電池の種々の情報を伝達する信号端子とすることもできる。
【００２８】
制御回路２１は、異常信号端子５ａに異常信号が入力されると、パック電池３０の異常と判定して、充電回路２０をオフに切り換えて充電を停止する。さらに、制御回路２１は、温度信号端子５ｂに入力される温度信号から、パック電池３０に内蔵される電池３９の温度を検出する。この制御回路２１は、電池温度が最高温度よりも高くなると、充電電流を遮断して充電を中断し、あるいは充電電流を少なくして、電池温度を低下させる。電池温度が設定温度よりも低くなると、正常な充電電流で充電する。
【００２９】
さらに、制御回路２１は、識別信号端子５ｃから入力される電池の識別信号からパック電池３０を充電する最適な電圧と電流値を判別して充電端子４から出力する充電電圧と充電電流を変更する。この充電器は、パック電池３０が装着されると、パック電池３０の制御部４０から出力される電池の識別信号を制御回路２１で受信し、制御回路２１が、入力された電池の識別信号からパック電池３０のタイプを判別して、このパック電池３０を充電するのに最適な電圧と電流値となるように充電回路２０を制御する。この充電器は、パック電池３０を充電する充電電圧と充電電流を、パック電池３０から入力される電池の識別信号から判別して最適な電圧に切り換えて充電するので、ひとつの充電器で出力電圧の異なる複数種のパック電池を充電できる。ただ、充電器は、必ずしも出力電圧を切り換える必要はなく、一定の出力電圧でパック電池を充電することもできる。
【００３０】
パック電池３０は、電動工具等の電気機器に脱着自在に装着されて、これらの機器に電力を供給する。このパック電池３０は、図示しないが、ケーシング内に複数の充電できる二次電池を内蔵している。パック電池に内蔵される二次電池は、リチウムイオン電池である。ただ、二次電池は、ニッケル水素電池やニッケルカドミウム電池、ポリマー電池等の充電できる他の全ての電池とすることもできる。複数の二次電池は、図示しないが、複数本を直列に接続して出力電圧を高くすると共に、複数本を並列に接続して出力電流を大きくしている。二次電池をリチウムイオン電池とするパック電池３０は、たとえば、１６本の電池を４直４並に接続して出力電圧を１４．４Ｖとし、あるいは、２０本の電池を５直４並に接続して出力電圧を１８Ｖとする。ただ、パック電池は、内蔵する二次電池の本数や接続状態を特定しない。パック電池は、使用する電気機器の種類や用途に応じて内蔵する二次電池の本数と出力電圧を種々に設計できる。
【００３１】
さらに、図１０と図１１のパック電池３０は、充電器の装着部２に配置される複数の接続端子３が接続される複数の外部端子３３を備えている。複数の外部端子３３は、パック電池３０を充電器の装着部２に装着する状態で、装着部２の底面２Ａと対向する底面であるセット面３２に配置している。図のパック電池は、ケーシング３１の底面に段差凹部３６を設けており、充電器の装着部２に突出する固定凸部９をこの段差凹部３６に案内して装着部２の定位置にセットされるようにしている。
【００３２】
さらに、図１１のパック電池３０は、セット面３２に複数列の縦溝３８を平行に設けると共に、この縦溝３８の内側に弾性接点である外部端子３３を設けている。弾性接点である外部端子３３は、縦溝３８に挿入される板状の接続端子３を両側から弾性的に押圧する状態で挟着して電気接続する。図の外部端子３３は、両側に配置される充放電端子３４と、これらの充放電端子３４の間に配置される通信端子３５とを備えている。両側の充放電端子３４は、充電器の充電端子４に接続され、中間の通信端子３５は、充電器の信号端子５Ａである非充電端子５に接続される。複数の通信端子３５は、パック電池３０に内蔵される複数の二次電池３９の情報を外部に伝達するための信号端子である。図１０に示す通信端子３５は、パック電池３０に内蔵される電池３９の異常信号を出力する異常信号端子３５ａと、電池３９の温度信号を出力する温度信号端子３５ｂと、パック電池３０に内蔵される電池３９の識別信号を出力する識別信号端子５ｃとを備えている。
【００３３】
さらに、パック電池は、図示しないが、装着部にセットされた状態で、パック電池を定位置に保持する保持凸部を設けることができる。保持凸部は、ケーシングの底面の端部に出入り自在に設けて、先端に係止フックを設けることができる。この保持凸部は、コイルスプリング等を介して下方に付勢して、パック電池を装着部にセットする状態では、先端の係止フックを装着部に設けた係止凹部に案内して外れないように保持することができる。このパック電池は、保持凸部を手で押し上げて係止フックの係止状態を解除して充電器から取り外すことができる。
【００３４】
さらに、図１０に示すパック電池３０は、充電できる電池３９と直列に接続している充放電スイッチ４１と、電池３９の異常を検出して充放電スイッチ４１をオフに制御する制御部４０とを備える。充放電スイッチ４１は、電池が満充電になるとオンからオフに切り換えられて、電池の過充電を防止する。また、充放電スイッチ４１は、電池が完全に放電されるとオフに切り換えられて、電池の過放電を防止する。
【００３５】
制御部４０は、電池３９に流れる電流を検出し、また、電圧を検出して、電池の残容量を演算している。電池の電流を検出するために、電池と直列に接続している電流検出抵抗４３を備える。この電流検出抵抗４３の両端の電圧を検出して、電池に流れる充電電流と、放電電流を判別して検出する。さらに、制御部４０は、電池３９の過電流を検出し、又は電池３９の温度が異常に高くなると充放電スイッチ４１をオフに切り換えて電流を遮断する。さらに、制御部４０は内蔵する電池３９の異常を検出すると異常信号を通信端子３５から外部に出力する。
【００３６】
さらに、図のパック電池は、電池温度を検出する温度センサー４２を備える。温度センサー４２は、電池３９に接近して熱結合状態で配設されるサーミスタである。温度センサーは、電池３９の温度で電気抵抗が変化して電池温度を検出する。制御部４０は、温度センサー４２で検出される電池温度が設定温度よりも高くなると、充放電スイッチ４１をオフに切り換えて充電や放電を停止する。また、電池温度が異常に高くなったことを通信端子３５から出力する。
【符号の説明】
【００３７】
１…ケース
２…装着部                    ２Ａ…底面
２Ｂ…連結開口部
３…接続端子
４…充電端子
５…非充電端子                ５Ａ…信号端子
５ａ…異常信号端子
５ｂ…温度信号端子
５ｃ…識別信号端子
６…側壁
８…連結プレート部
９…固定凸部
１０…金属板                  １０Ａ…接続部
１１…隙間
１３…リード線
１４…回路基板
２０…充電回路
２１…制御回路
２２…整流回路
３０…パック電池
３１…ケーシング
３２…セット面
３３…外部端子
３４…充放電端子
３５…通信端子                ３５Ａ…信号端子
３５ａ…異常信号端子
３５ｂ…温度信号端子
３５ｃ…識別信号端子
３６…段差凹部
３８…縦溝
３９…電池
４０…制御部
４１…充放電スイッチ
４２…温度センサー
４３…電流検出抵抗
９０…金属異物                ９０Ａ…釘
９０Ｂ…針金
９２…装着部
９３…接続端子
９４…充電端子
９５…信号端子
【図１】
2011155821.tif 000003
【図２】
2011155821.tif 000004
【図３】
2011155821.tif 000005
【図４】
2011155821.tif 000006
【図５】
2011155821.tif 000007
【図６】
2011155821.tif 000008
【図７】
2011155821.tif 000009
【図８】
2011155821.tif 000010
【図９】
2011155821.tif 000011
【図１０】
2011155821.tif 000012
【図１１】
2011155821.tif 000013